(57)【特許請求の範囲】
【請求項１】
それぞれ、障害を検出したときにその旨を示すアラームを出力する検出回路を備えた所定種類のパッケージを組み合わせて構成される第１及び第２の伝送信号処理回路と、切替制御回路と、前記第１の伝送信号処理回路と前記切替制御回路とに接続された第１のインターフェース回路と、前記第２の伝送信号処理回路と前記切替制御回路とに接続された第２のインターフェース回路とを備える伝送装置において、
前記切替制御回路は、前記第１あるいは第２のインターフェース回路からの切替トリガ信号ではない切替トリガ信号が入力された際、第１及び第２のインターフェース回路に切替命令を出力し、
前記第１及び第２のインターフェース回路は、それぞれ、
接続されている伝送信号処理回路が使用側であるときに前記切替命令が入力された場合には、接続されている伝送信号処理回路内の、非使用側となった場合に障害の有無に拘わらずアラームを出力する検出回路の出力を収集した後、接続されている伝送信号処理回路を非使用側とするための制御を行う
ことを特徴とする伝送装置。
【請求項２】
前記所定種類のパッケージの中の、非使用側となった場合に障害の有無に拘わらずアラームを出力する検出回路を備える各パッケージは、パッケージに電源が供給されていない状態であっても、アラーム相当の情報を保持、出力できる保持回路を備え、
前記第１及び第２のインターフェース回路は、それぞれ、
接続されている伝送信号処理回路が使用側である場合に前記切替命令が入力されたときには、接続されている伝送信号処理回路内の、非使用側となった場合に障害の有無に拘わらずアラームを出力する各検出回路の出力を収集するとともに、各検出回路から収集した出力を、その検出回路と同じパッケージに設けられている保持回路に保持させた後、接続されている伝送信号処理回路を非使用側とするための制御を行い、接続されている伝送信号処理回路が非使用側である場合には、保持回路を備える各パッケージの状態を保持回路に保持されている情報で判断する
ことを特徴とする請求項１記載の伝送装置。
【請求項３】
それぞれ、自パッケージの障害を検出したときに、その旨を示すアラームを出力する検出回路を備えた所定種類のパッケージを組み合わせて構成される第１及び第２の伝送信号処理回路と、切替制御回路と、前記第１の伝送信号処理回路と前記切替制御回路とに接続された第１のインターフェース回路と、前記第２の伝送信号処理回路と前記切替制御回路とに接続された第２のインターフェース回路とを備えるコールドスタンバイ方式の伝送装置において、
前記切替制御回路は、前記第１及び第２の伝送信号処理回路の中の使用されている伝送信号処理回路内のパッケージからアラームが入力された際、その使用されている伝送信号処理回路に接続されているインターフェース回路にアラーム検出命令を出力し、その出力から所定時間が経過したときに、使用側の伝送信号処理回路を非使用側とするための制御を行い、
前記第１及び第２のインターフェース回路は、それぞれ、
前記アラーム検出命令が入力された場合に、接続されている伝送信号処理回路内の前記所定種類のパッケージの中の、非使用側となった場合に障害の有無に拘わらずアラームが出力される各検出回路の出力を収集する
ことを特徴とする伝送装置。
【請求項４】
前記所定種類のパッケージの中の、非使用側となった場合に障害の有無に拘わらずアラームを出力する検出回路を備える各パッケージは、パッケージに電源が供給されていない状態であっても、アラーム相当の情報を保持、出力できる保持回路を備え、
前記第１及び第２のインターフェース回路は、それぞれ、
前記アラーム検出命令が入力された場合に、接続されている伝送信号処理回路内の前記所定種類のパッケージの中の、非使用側となった場合に障害の有無に拘わらずアラームが出力される各検出回路の出力を収集するとともに、各検出回路から収集した出力を、その検出回路と同じパッケージに設けられている保持回路に保持させる
ことを特徴とする請求項３記載の伝送装置。
【発明の詳細な説明】
【０００１】
【発明の属する技術分野】
本発明は、伝送装置に関わり、  特に、２重化された伝送装置であって、コールドスタンバイ（ｃｏｌｄ  ｓｔａｎｄｂｙ）方式が採用された伝送装置に関する。
【０００２】
【従来の技術】
従来より、伝送装置として、２系統の伝送信号処理回路を備え、使用中の伝送信号処理回路に異常が生じた場合、他方の伝送信号処理回路が活性化される装置が用いられている。そのような伝送装置の中には、回路素子の寿命を延ばすためや、消費電力を低減するために、非使用側の伝送信号処理回路内の一部の回路の動作を停止させておくコールドスタンバイ（ｃｏｌｄ  ｓｔａｎｄｂｙ）方式が採用されたものが存在している。
【０００３】
例えば、光通信用の伝送装置として、図６に示したような、ＳＴＭ（Ｓｙｎｃｈｒｏｎｏｕｓ  Ｔｒａｎｓｆｅｒ  Ｍｏｄｅ）−１６の信号を２本束ね、約５Ｇｂｐｓの信号として出力する装置があるが、この装置（以下、ＳＬＴＥと表記する）では、非使用側のＴＸシェルフ（伝送信号処理回路）内のＯＳパッケージに設けられている半導体レーザ（以下、ＬＤと表記する）が、オフ状態に制御される。
【０００４】
周知のように、このようなＳＬＴＥでは、各ＴＸシェルフに設けられる各パッケージに、自身に障害が発生したときにアラームを出力する機能が与えられていおり、各パッケージが出したアラームに基づき、ＳＬＴＥ内に設けられている切替制御回路（図示せず）によって、使用するＴＸシェルフの切替が行われる。
【０００５】
ただし、切替制御回路へ切替動作を開始させるための信号（切替トリガ）の与え方が異なる２つのタイプ（アラームが切替トリガとして直接、切替制御回路に与えられるＳＬＴＥと、与えられないＳＬＴＥ）のＳＬＴＥが存在している。以下、図７、８を用いて、両タイプのＳＬＴＥの構成、切替動作を説明する。
【０００６】
図７に示してあるように、アラームが切替トリガとして、直接、切替制御回路に与えられないタイプのＳＴＬＥのＣＯＭシェルフには、切替制御回路であるＳＷＣＯＮＴパッケージと、アラーム監視回路であるＡＬＭＭＰＵパッケージが設けられる。また、各ＴＸシェルフ内には、伝送信号処理用の幾つかのパッケージと、ＳＷＣＯＮＴパッケージ並びにＡＬＭＭＰＵパッケージとの間のインターフェース回路であり、以下に記すように動作するＡＬＭ  ＩＦ−ＴＸパッケージが設けられる。
【０００７】
ＡＬＭ  ＩＦ−ＴＸパッケージは、各パッケージにおいて出力されたアラームを、データバスを介して収集し、ＡＬＭＭＰＵパッケージに転送する。また、ＡＬＭ  ＩＦ−ＴＸパッケージは、アラームを収集した際、収集したアラーム並びに自ＴＸシェルフの状態（使用側であるか否か）に基づき、切替トリガの出力が必要であるかを判断し、必要である場合には、切替トリガを、ＳＷＣＯＮＴパッケージに出力する。ＳＷＣＯＮＴパッケージは、切替トリガが入力されたときに切替命令を両ＡＬＭ  ＩＦ−ＴＸパッケージに出すよう構成されており、ＡＬＭ  ＩＦ−ＴＸパッケージは、ＳＷＣＯＮＴパッケージから切替命令が与えられたときに、自身に接続されたＯＳパッケージのＬＤのオン／オフ制御を行う。
【０００８】
アラームが切替トリガとして直接、切替制御回路に与えられるタイプのＳＴＬＥにおいても、ＣＯＭシェルフ内に、ＳＷＣＯＮＴパッケージとＡＬＭＭＰＵパッケージが設けられ、各ＴＸシェルフ内に、ＡＬＭ  ＩＦ−ＴＸパッケージが設けられる。ただし、図８に模式的に示してあるように、各ＴＸシェルフ内の伝送信号処理用のパッケージとＳＷＣＯＮＴパッケージは、ＡＬＭ  ＩＦ−ＴＸパッケージを介さずに接続される。そして、ＳＷＣＯＮＴパッケージとして、使用側ＴＸシェルフ内のパッケージからアラームが与えられた場合、使用側ＴＸシェルフ内のＯＳパッケージに対して、ＬＤ  ＯＦＦ命令（切替命令）を出し、非使用側ＴＸシェルフ内のＯＳパッケージに対しては、ＬＤ  ＯＮ命令（切替命令）を出すパッケージが用いられる。
【０００９】
【発明が解決しようとする課題】
図７に示したＳＴＬＥでは、ＯＳパッケージのＬＤ以降の回路に障害が発生した場合、原因（障害が発生した箇所）が分からない状態で切替が行われてしまうことがあった。
【００１０】
すなわち、ＳＷＣＯＮＴパッケージには、ＡＬＭ  ＩＦ−ＴＸパッケージからの切替トリガの他に、伝送信号に含まれるＦＥＲＦに起因する切替トリガ（以下、ＦＥＲＦ信号と表記する）も入力される。このＦＥＲＦ信号は、ＯＳパッケージのＬＤ以降の回路に障害が発生しても生成される。さらに、障害が発生してから、ＳＷＣＯＮＴパッケージにＦＥＲＦ信号が入力されるまでの処理は、ハードウェア処理であるので、数μｓ（マイクロ秒）オーダの時間しか必要としない処理となっている。一方、ＡＬＭ  ＩＦ−ＴＸパッケージによるアラームの検出処理は、ＣＰＵ処理であるので、数１０ｍｓ（ミリ秒）オーダの時間が必要とされる処理となっている。
【００１１】
このため、ＯＳパッケージのＬＤ以降の回路の障害に起因するＦＥＲＦ信号による切替が行われる場合、ＡＬＭ  ＩＦ−ＴＸパッケージによるアラームの検出処理が行われる前に、切替（ＬＤのオフ）が完了してしまうことが起こりうる。そして、切替が完了している場合には、実際に障害が発生していなくとも、ＬＤの出力が関係するアラーム（ＯＳパッケージからのＯＰＴ  ＯＵＴ  ＤＯＷＮ、ＰＯＳＴ  ＡＭＰパッケージからのＯＰＴ  ＩＮ  ＤＯＷＮ、ＯＰＴ  ＯＵＴ  ＤＯＷＮ）が出力されることになるので、切替原因が不明となってしまう。
【００１２】
また、図８に示した、アラームが切替トリガとして使用されるタイプのＳＴＬＥにおいても、切替処理と検出処理とが、全く独立に、異なる速度で行われるため、やはり、切替は行われたがその原因が分からない（ＯＳパッケージからのＯＰＴ  ＯＵＴ  ＤＯＷＮ等のアラームが実際に障害が発生したことを示しているのか否かが判定できない）といったことが生じうる。
このように、従来のＳＴＬＥは、原因が分からない状態で切替が行われてしまうことがある装置となっていた。
【００１３】
また、従来のＳＬＴＥは、障害が復旧されていないパッケージを再挿入しただけでアラームが解除されてしまうといった問題も有していた。すなわち、上述したように、ＬＤがオフ状態に制御される非使用側のＴＸシェルフでは、幾つかのアラームが、実際に障害が発生していなくとも、出力される。このため、ＡＬＭ  ＩＦ−ＴＸパッケージは、自身が含まれるＴＸシェルフが非使用側であるとき、ＬＤよりも後段に存在する回路に関するＬＤがオフとなっているときに出力されてしまうアラームについては、特殊な処理を行うように構成されている。
【００１４】
具体的には、図９に模式的に示したように、ＡＬＭ  ＩＦ−ＴＸパッケージは、切替が行われてから、パッケージ交換が行われるまでの間（非使用側Ｉ）は、そのアラームが対応する回路の状態を示す情報であると認識するように構成されている。そして、パッケージの再挿入が行われた後（非使用側ＩＩ）は、そのアラームの原因が解消された（パッケージが正常なものに交換された）と判定するように構成されている。このため、従来のＳＴＬＥは、障害が発生したパッケージを再挿入しただけでも、アラームが解除されてしまう装置となっていた。
【００１５】
そこで、本発明の第１の課題は、常に、その原因が分かる形態で切替が行われるコールドスタンバイ方式の伝送装置を提供することにある。
また、本発明の第２の課題は、パッケージの状態が誤認識されることがないコールドスタンバイ方式の伝送装置を提供することにある。
【００１６】
【課題を解決するための手段】
本発明の第１の態様では、上記第１の課題を解決するために、それぞれ、障害を検出したときにその旨を示すアラームを出力する検出回路を備えた所定種類のパッケージを組み合わせて構成される第１及び第２の伝送信号処理回路と、切替制御回路と、第１の伝送信号処理回路と切替制御回路とに接続された第１のインターフェース回路と、第２の伝送信号処理回路と切替制御回路とに接続された第２のインターフェース回路とを備える伝送装置を実現するに際して、切替制御回路として、第１あるいは第２のインターフェース回路からの切替トリガ信号ではない切替トリガ信号が入力された際、第１及び第２のインターフェース回路に切替命令を出力する回路を用い、各インターフェース回路として、接続されている伝送信号処理回路が使用側であるときに切替命令が入力された場合には、接続されている伝送信号処理回路内の、非使用側となった場合に障害の有無に拘わらずアラームを出力する検出回路の出力を収集した後、接続されている伝送信号処理回路を非使用側とするための制御を行う回路を用いる。
【００１７】
すなわち、本発明の第１の態様の伝送装置では、インターフェース回路によるアラームを収集した結果として出された切替トリガ信号ではない切替トリガ信号が切替制御回路に入力された場合、切替に先駆けて、インターフェース回路により、アラームの収集が行われる。このため、本伝送装置では、従来の伝送装置においては切替原因が不明となるような状況下でも、その原因が分かる形態で切替が行われることになる。
【００１８】
なお、本発明の第１の態様の伝送装置を製造する際には、所定種類のパッケージの中の、非使用側となった場合に障害の有無に拘わらずアラームを出力する検出回路を備える各パッケージに、パッケージに電源が供給されていない状態であっても、アラーム相当の情報を保持、出力できる保持回路を設けておき、各インターフェース回路として、接続されている伝送信号処理回路が使用側である場合に切替命令が入力されたときには、接続されている伝送信号処理回路内の、非使用側となった場合に障害の有無に拘わらずアラームを出力する各検出回路の出力を収集するとともに、各検出回路から収集した出力を、その検出回路と同じパッケージに設けられている保持回路に保持させた後、接続されている伝送信号処理回路を非使用側とするための制御を行い、接続されている伝送信号処理回路が非使用側である場合には、保持回路を備える各パッケージの状態を保持回路に保持されている情報で判断する回路を用いることができる。
【００１９】
このような構成を採用しておけば、第１の課題と共に、上記した第２の課題を解決できる伝送装置が得られることになる。
また、本発明の第２の態様では、上記第１の課題を解決するために、それぞれ、自パッケージの障害を検出したときに、その旨を示すアラームを出力する検出回路を備えた所定種類のパッケージを組み合わせて構成される第１及び第２の伝送信号処理回路と、切替制御回路と、第１の伝送信号処理回路と切替制御回路とに接続された第１のインターフェース回路と、第２の伝送信号処理回路と切替制御回路とに接続された第２のインターフェース回路とを備えるコールドスタンバイ方式の伝送装置を実現するに際して、切替制御回路として、第１及び第２の伝送信号処理回路の中の使用されている伝送信号処理回路内のパッケージからアラームが入力された際、その使用されている伝送信号処理回路に接続されているインターフェース回路にアラーム検出命令を出力し、その出力から所定時間が経過したときに、使用側の伝送信号処理回路を非使用側とするための制御を行う回路を用い、各インターフェース回路として、アラーム検出命令が入力された場合に、接続されている伝送信号処理回路内の所定種類のパッケージの中の、非使用側となった場合に障害の有無に拘わらずアラームが出力される各検出回路の出力を収集する回路を用いる。
【００２０】
すなわち、本発明の第２の態様の伝送装置では、切替が必要となったとき、切替制御回路は、インターフェース回路にアラームの収集を行わせた後（アラーム検出命令を出力してから所定時間が経過したときに）、使用側、非使用側を切り替えるための制御を行う。このため、本伝送装置では、従来の伝送装置においては切替原因が不明となるような状況下でも、その原因が分かる形態で切替が行われることになる。
【００２１】
なお、本発明の第２の態様の伝送装置を製造する際には、所定種類のパッケージの中の、非使用側となった場合に障害の有無に拘わらずアラームを出力する検出回路を備える各パッケージに、パッケージに電源が供給されていない状態であっても、アラーム相当の情報を保持、出力できる保持回路を設けておき、各インターフェース回路として、アラーム検出命令が入力された場合に、接続されている伝送信号処理回路内の所定種類のパッケージの中の、非使用側となった場合に障害の有無に拘わらずアラームが出力される各検出回路の出力を収集するとともに、各検出回路から収集した出力を、その検出回路と同じパッケージに設けられている保持回路に保持させる回路を用いることが出来る。
【００２２】
このような構成を採用しておけば、第１及び第２の課題を解決できる伝送装置が得られることになる。
【００２３】
【発明の実施の形態】
以下、本発明の実施の形態を、実施例に基づき具体的に説明する。
＜第１実施例＞
第１実施例の伝送装置は、ＯＳパッケージとＰＯＳＴ  ＡＭＰパッケージとＡＬＭ  ＩＦ−ＴＸパッケージの構成、動作のみが、図６及び図７を用いて説明した従来の伝送装置と異なった装置となっている。このため、以下では、これらのパッケージの説明のみを行うことにする。
【００２４】
図１に、第１実施例の伝送装置のＴＸパッケージに使用されているＯＳパッケージ、ＰＯＳＴ  ＡＭＰパッケージ、ＡＬＭ  ＩＦ−ＴＸパッケージの概略構成を示す。
図示してあるように、本伝送装置に使用されるＯＳパッケージ１０には、ラッチリレー１１と、ＡＬＭ  ＩＦ−ＴＸパッケージと接続されるバッファ（ＢＵＦＦ）１２が設けられている。また、ＯＳパッケージ１０には、検出回路のアラーム出力（ＯＰＴ  ＯＵＴ  ＤＯＷＮ）あるいはラッチリレー１１内のデータを一時的に記憶するためのバッファ１３と、バッファ１３に記憶されたデータあるいはバッファ１２に記憶されたデータ（ＡＬＭ  ＩＦ−ＴＸパッケージから与えられたデータ）をラッチリレー１１に書き込む際に利用されるバッファ１４も設けられている。
【００２５】
すなわち、ＯＳパッケージ１０は、一般に用いられているＯＳパッケージに、検出回路が出力するＯＰＴ  ＯＵＴ  ＤＯＷＮを保持、出力するための、ラッチリレー１１を中心とした回路を付加したものとなっている。
【００２６】
また、ＰＯＳＴ  ＡＭＰパッケージ２０も、図示してあるように、一般に用いられているＰＯＳＴ  ＡＭＰパッケージに、２つの検出回路が出力するＯＰＴ  ＩＮ  ＤＯＷＮ、ＯＰＴ  ＯＵＴ  ＤＯＷＮを保持、出力するための、ラッチリレー２１Ａ、Ｂを中心とした回路を付加したものとなっている。
【００２７】
以下、図２及び図３を用いて、第１実施例の伝送装置の動作を説明する。
図２に示してあるように、本伝送装置では、使用側であるＴＸ（Ｗ）シェルフ内のＯＳパッケージ１０でＯＰＴ  ＯＵＴ  ＤＯＷＮが発生（▲１▼）し、ＡＬＭ  ＩＦ−ＴＸパッケージ３０がそのアラームを収集して切替トリガとして出力する前に、ＳＷＣＯＮＴパッケージ４０にＦＥＲＦ信号が入力（▲２▼）された場合、ＳＷＣＯＮＴパッケージ４０が、ＡＬＭ  ＩＦ−ＴＸパッケージ３０内の割り込み機能付きパラレルＬＳＩに対して切替命令を出力する（▲３▼）。切替命令を受けた割り込み機能付きパラレルＬＳＩは、ＣＰＵに、割り込み信号を出力する（▲４▼）。
【００２８】
割り込み信号が与えられたＣＰＵは、ＯＳパッケージ１０内の検出回路のアラーム出力を収集する（▲５▼）。そして、アラームが発生していた場合には、そのアラーム出力をラッチリレーにラッチさせるための制御をＯＳパッケージ１０に対して行う（▲６▼）。また、ＰＯＳＴ  ＡＭＰパッケージ２０に対しても同様の処理を行う。次いで、ＣＰＵは、ＯＳパッケージ１０に、ＬＤをオフさせるためのＬＤ  ＯＦＦ命令を出力する（▲７▼）。
【００２９】
すなわち、第１実施例の伝送装置内に設けられているＡＬＭ  ＩＦ−ＴＸパッケージ（内のＣＰＵ）は、図３に示してあるように、ＯＳパッケージ１０に、ＬＤ  ＯＦＦ命令を出す前に、アラーム出力と同じデータを出力するように、ラッチリレーを制御する。
【００３０】
そして、ＡＬＭ  ＩＦ−ＴＸパッケージ３０は、ＯＳパッケージ１０、ＰＯＳＴ  ＡＭＰパッケージ２０が動作可能な状態にあるか否かの判断を、同図に示してあるように、自身が使用側であるときには、各パッケージのアラーム出力に基づき行い、自身が非使用側であるときには、各パッケージのラッチリレーに保持されている情報に基づき行う。なお、ＡＬＭ  ＩＦ−ＴＸパッケージ３０は、自身が使用側である場合において、検出回路からアラームが出力されておらず、ラッチリレーにアラームが保持されているときには、ラッチリレーにラッチ解除命令を出力する。
【００３１】
このように、第１実施例の伝送装置は、従来の伝送装置では、切替の発生原因が分からなくなってしまうような状況においても、切替の発生原因が認識された状態で切替が行われる装置となっている。また、ＡＬＭ  ＩＦ−ＴＸパッケージ３０は、ＯＳパッケージ１０、ＰＯＳＴ  ＡＭＰパッケージ２０が動作可能な状態にあるか否かの判断を、自身が非使用側であるときには、各パッケージのラッチリレーに保持されている情報に基づき行う。このため、障害パッケージの単なる再挿入や、電源リセットが行われても、パッケージの状態が誤認識されてしまうことがない装置ともなっている。
【００３２】
＜第２実施例＞
第２実施例の伝送装置は、第１実施例の伝送装置を、各アラームが切替トリガとしてＳＷＣＯＮＴパッケージに直接与えられる装置（図８参照）に変形したものとなっている。すなわち、第２実施例の伝送装置は、図１に示した、ラッチリレーが付加されたＯＳ、ＰＯＳＴ  ＡＭＰパッケージが用いられてた装置となっている。このため、第２実施例の伝送装置で用いられている各パッケージの構成の図示は省略する。
【００３３】
以下、図４並びに図５を用いて、第２実施例の伝送装置の動作を説明する。
本伝送装置では、使用側であるＴＸ（Ｗ）シェルフ内のＯＳパッケージ１０２で、ＯＰＴ  ＯＵＴ  ＤＯＷＮが発生（▲１▼）した場合、ＯＳパッケージ１０２において発生したアラームが、切替トリガとしてＳＷＣＯＮＴパッケージ４０２に入力される（▲２▼）。
【００３４】
切替トリガが入力されたＳＷＣＯＮＴパッケージ４０２は、ＡＬＭ  ＩＦ−ＴＸパッケージ３０２内の割り込み機能付きパラレルＬＳＩに対してＡＬＭ検出命令を出力する（▲３▼）。ＡＬＭ検出命令を受けた割り込み機能付きパラレルＬＳＩは、ＣＰＵに、割り込み信号を出力する（▲４▼）。
【００３５】
割り込み信号が与えられたＣＰＵは、ＯＳパッケージ１０２内の検出回路のアラーム出力を収集する（▲５▼）。そして、アラームが発生していた場合には、そのアラーム出力をラッチリレーにラッチさせるためのラッチ命令をＯＳパッケージ１０に対して出力する（▲６▼）。また、ＰＯＳＴ  ＡＭＰパッケージ２０２に対しても同様の処理を行う。
【００３６】
一方、ＡＬＭ検出命令を出力したＳＷＣＯＮＴパッケージ４０２は、その出力後、時間ｔ０が経過したときに、ＯＳパッケージ１０にＬＤをオフさせるためのＬＤ  ＯＦＦ命令を出力する（▲７▼）。なお、時間ｔ０としては、図５に示してあるように、ＡＬＭ  ＩＦ−ＴＸパッケージ内のＣＰＵによるラッチ命令の出力の完了後に、ＬＤ  ＯＦＦ命令が出力されることになる時間が設定されている。
【００３７】
すなわち、ＳＷＣＯＮＴパッケージは、切替トリガが入力された場合、ＡＬＭ  ＩＦ−ＴＸパッケージにアラームの収集を行わせた後（アラーム検出命令を出力してから所定時間ｔ０が経過したときに）、使用側、非使用側を切り替えるための制御を行う。このため、本伝送装置では、従来の伝送装置においては切替の発生原因が分からなくなってしまうような状況においても、切替の発生原因が認識された状態で切替が行われることになる。
【００３８】
そして、ＡＬＭ  ＩＦ−ＴＸパッケージ３０２は、ＡＬＭ  ＩＦ−ＴＸパッケージ３０と同じく、ＯＳパッケージ１０２、ＰＯＳＴ  ＡＭＰパッケージ２０２が動作可能な状態にあるか否かの判断を、自身が使用側であるときには、各パッケージのアラーム出力に基づき行い、自身が非使用側であるときには、各パッケージのラッチリレーに保持されている情報に基づき行う。このため、第２実施例の伝送装置は、第１実施例の伝送装置と同様に、障害パッケージの単なる再挿入や、電源リセットが行われても、パッケージの状態が誤認識されてしまうことがない装置ともなっている。
【００３９】
＜変形例＞
各実施例の伝送装置は、各種の変形を行うことが出来る。例えば、ＯＳパッケージ、ＰＯＳＴ  ＡＭＰパッケージにラッチリレーを設けずに、アラームの収集のみがＡＬＭ  ＩＦ−ＴＸパッケージによって行われるように各実施形態の伝送装置を変形することが出来る。ただし、このように変形した場合、障害が復旧されていないパッケージの再挿入と、正常なパッケージの挿入とを、区別することができなくなるので、各実施例のように伝送装置を構成しておくことが望ましい。
【００４０】
なお、各実施例の伝送装置では、アラームを保持させるための素子として、ラッチリレーが用いられているが、パッケージに電源が供給されていない状態で、アラームを保持、出力できる素子（例えば、ＥＥＰＲＯＭ）であればどのようなものであってもラッチリレーの代わりに用いることが出来る。また、各実施例伝送装置は、光通信に用いられるものであったが、本技術は、非使用側となったときに、障害の有無に拘わらずアラームを出力することになるパッケージを備える伝送装置であれば、どのような伝送装置にも適用可能である。
【００４１】
【発明の効果】
以上、詳細に説明したように、本発明の伝送装置を用いれば、従来の伝送装置においては切替原因が不明となるような状況下でも、その原因が分かる形態で切替を行わせることが出来る。また、保持回路が備えたパッケージを使用する形態の本発明の伝送装置を用いれば、パッケージの状態が誤認識されることを防止できることにもなる。
【図面の簡単な説明】
【図１】第１実施例の伝送装置が備えるＴＸパッケージの要部構成図である。
【図２】第１実施例の伝送装置の動作を説明するための模式図である。
【図３】第１実施例の伝送装置の動作を説明するためのタイムチャートである。
【図４】第２実施例の伝送装置の動作を説明するための模式図である。
【図５】第２実施例の伝送装置の動作を説明するためのタイムチャートである。
【図６】従来の、二重化された伝送装置の構成を示すブロック図である。
【図７】従来の伝送装置の切替動作を説明するためのブロック図である。
【図８】従来の伝送装置の切替動作を説明するためのブロック図である。
【図９】従来の伝送装置が備えるＡＬＭ  ＩＦ−ＴＸパッケージの動作を説明するためのタイムチャートである。
【符号の説明】
１０  ＯＳパッケージ
１１、２１  ラッチリレー
１２〜１４、２２〜２４  バッファ
２０  ＰＯＳＴ  ＡＭＰパッケージ
３０  ＡＬＭ  ＩＦ−ＴＸパッケージ
４０  ＳＷＣＯＮＴパッケージ
【図１】
0003602962.tif 000002
【図２】
0003602962.tif 000003
【図３】
0003602962.tif 000004
【図４】
0003602962.tif 000005
【図５】
0003602962.tif 000006
【図６】
0003602962.tif 000007
【図７】
0003602962.tif 000008
【図８】
0003602962.tif 000009
【図９】
0003602962.tif 000010